(57)【要約】【課題】  圧力が正常圧力であるとみなす正常圧力範囲を自由に設定できるようにするとともに、検知した圧力値と正常圧力範囲とを見易くして検知した圧力値及びその圧力値が正常範囲か否かを正確に認識できるようにした。【解決手段】  流体の正常圧力範囲とみなす上限圧力値及び下限圧力値を設定する正常圧力範囲設定手段５３と、上限圧力値及び下限圧力値を上限圧力値信号及び下限圧力値信号に変換して出力する正常圧力範囲信号変換手段５４と、上限圧力値信号及び下限圧力値信号に基づいて発光体アレイＡの対応する発光体Ｄを選択してこれに通電させる正常圧力範囲選択通電手段５５と、正常圧力範囲選択通電手段５５で選択した発光体Ｄの輝度と圧力値を示す発光体Ｄの輝度とを異なる輝度に制御する輝度制御手段５６とを備えた。【選択図】  図１
2005207741.tif 000002
【特許請求の範囲】
【請求項１】
流体の圧力変化を検知し該検知を電気信号に変換して出力する検知部と、
所定間隔に定めた圧力値順に列設された複数の発光体からなる発光体アレイを備えて構成され該発光体を通電により点灯して上記流体の圧力値として視認可能に表示する表示部と、
上記検知部から出力された電気信号を受信し所定間隔に定めた圧力値に対応した圧力値信号に変換して出力する圧力値信号変換手段及び該圧力値信号変換手段から出力された圧力値信号に基づいて上記発光体アレイの対応する発光体を選択してこれに通電させる圧力値選択通電手段を有した制御部とを備えた圧力測定器において、
上記制御部に、上記流体の正常圧力範囲とみなす上限圧力値及び下限圧力値を設定する正常圧力範囲設定手段と、該正常圧力範囲設定手段で設定された上限圧力値及び下限圧力値を上限圧力値信号及び下限圧力値信号に変換して出力する正常圧力範囲信号変換手段と、上記正常圧力範囲信号変換手段から出力された上限圧力値信号及び下限圧力値信号に基づいて上記発光体アレイの対応する発光体を選択してこれに通電させる正常圧力範囲選択通電手段と、上記正常圧力範囲選択通電手段で選択した発光体の輝度と上記圧力値選択通電手段で選択した発光体の輝度とを異なる輝度に制御する輝度制御手段とを備えたことを特徴とする圧力測定器。
【請求項２】
上記輝度制御手段を、上記正常圧力範囲選択通電手段で選択した発光体の輝度を、上記圧力値選択通電手段で選択した発光体の輝度よりも低く制御する機能を備えて構成したことを特徴とする請求項１記載の圧力測定器。
【請求項３】
上記制御部に、上記検知部で検知した流体の圧力値が上記正常圧力範囲設定手段で設定した正常圧力値の範囲外の場合に異常信号を出力する異常信号出力部を設けたことを特徴とする請求項１または２記載の圧力測定器。
【請求項４】
上記異常信号出力部に、上記検知部で検知した流体の圧力値が上記正常圧力範囲設定手段で設定した上限圧力値よりも高い場合に異常信号としてのハイ信号を出力するハイ信号出力部と、上記検知部で検知した流体の圧力値が上記正常圧力範囲設定手段で設定した下限圧力値よりも低い場合に異常信号としてのロー信号を出力するロー信号出力部とを設けたことを特徴とする請求項３記載の圧力測定器。
【発明の詳細な説明】
【技術分野】
【０００１】
本発明は、管路を流れる流体の圧力を測定する圧力測定器に係り、特に、流体の圧力値を発光ダイオード等の発光体を用いて表示する圧力測定器に関する。
【背景技術】
【０００２】
従来、この種の圧力測定器としては、特許文献１（特開平７−２７６４７号公報）に記載されたものが知られている。
【０００３】
図７に示すように、この圧力測定器Ｓａは、歪ゲージからなる圧力センサ１及びこの圧力センサ１を収納する圧力導入孔２を有する受圧容器からなる流体の受圧部３と、所定間隔に定めた圧力値順に列設された複数の発光ダイオードＤからなる発光体アレイＡを備えて構成され発光ダイオードＤを通電により点灯して流体の圧力値として視認可能に表示する表示部４と、圧力センサ１に生じる電流値の変化を電圧の変化に変換するための電圧変換器５と、電圧変換器５によって変換された電圧値をデジタル信号に変換するためのＡ／Ｄ変換器６と、Ａ／Ｄ変換器６からのデジタル信号を元に表示部４の発光ダイオードＤを点灯させるためのドライバ７とを備えて構成されている。
【０００４】
表示部４の各発光ダイオードＤの周囲には、その発光ダイオードＤに対応する測定圧を表示するための数値が印刷してある。また、各発光ダイオードＤは、測定圧が正常域に入ったときに点灯する発光ダイオードＤ（Ｄ１）、測定圧が注意領域に入った時に点灯する発光ダイオードＤ（Ｄ２）、及び、測定圧が危険領域に入った時に点灯する発光ダイオードＤ（Ｄ３）に分かれており、例えば、正常領域の時に点灯する発光ダイオードＤ（Ｄ１）の表示色をグリーン、注意領域の時に点灯する発光ダイオードＤ（Ｄ２）の表示色をイエロー、危険領域の時に点灯する発光ダイオードＤ（Ｄ３）の表示色をレッドとして異ならせてある。
【０００５】
この圧力測定器Ｓａを用いる際は、受圧部３を、被測定物の測定個所にセットし、受圧部３の圧力導入孔２を介して圧力センサ１に流体の圧力が加わるようにする。
そして、流体の圧力変化によって圧力センサ１に生じる電流値の変化を電圧変換器５によって電圧値に変換し、Ａ／Ｄ変換器６によってデジタル信号に変換した後、ドライバ７に送り、ドライバ７と接続された表示部４上の発光ダイオードＤのうち、測定圧の下側にある発光ダイオードＤを全て点灯させる。
ところが、上記従来の圧力測定器Ｓａにあっては、注意領域及び危険領域が一義的になるので、流体の圧力条件が変わる場合に対応できないという問題があり、汎用性に劣る。また、下限圧力よりも低い圧力の場合の異常を認識ができにくいという問題もあった。
【０００６】
この問題を解消するために、例えば、特許文献２（実用新案登録第３０３９０３７号公報）記載の表示装置を適用することが考えられる。
図８に示すように、この表示装置４ａは、メータリレーの表示板に、所定間隔に定めた圧力値順に円弧状に列設された５１個の発光ダイオードＤからなる発光体アレイＡを備えて構成され、発光ダイオードＤを通電により点灯して流体の圧力値として視認可能にしてある。
また、この表示装置４ａは、流体の正常圧力範囲とみなす上限圧力値及び下限圧力値を設定して、この設定された上限圧力値及び下限圧力値に対応した発光体アレイＡの発光ダイオードＤ（Ｄａ），Ｄ（Ｄｂ）を選択してこれを常時点灯させておくように構成されている。
【０００７】
これにより、圧力値の表示の際は、圧力値に応じた発光ダイオードＤ（Ｄｓ）以下の発光ダイオードＤが点灯する。この際、発光ダイオードＤ（Ｄｓ）が、上限圧力値を表示した発光ダイオードＤ（Ｄａ）と下限圧力値を表示した発光ダイオードＤ（Ｄｂ）の間に、この圧力値がある場合には、下限圧力値に対応する発光ダイオードＤ（Ｄｂ）を消灯する。また、発光ダイオードＤｓが、上限圧力値を表示した発光ダイオードＤ（Ｄａ）を超えた場合には、上限圧力値及び下限圧力値を表示した発光ダイオードＤ（Ｄａ），Ｄ（Ｄｂ）を消灯する。
【０００８】
【特許文献１】特開平７−２７６４７号公報
【特許文献２】実用新案登録第３０３９０３７号公報
【発明の開示】
【発明が解決しようとする課題】
【０００９】
ところで、この表示装置４ａにあっては、上限圧力値及び下限圧力値に対応した発光ダイオードＤ（Ｄａ），Ｄ（Ｄｂ）が、測定圧力値に対応した発光ダイオードＤ（Ｄｓ）の位置により、点灯状態を保持しあるいは消灯するので、発光ダイオードＤ（Ｄｓ）が発光ダイオードＤ（Ｄａ），Ｄ（Ｄｂ）に近接している場合に、どの発光ダイオードＤが圧力値を示す発光ダイオードＤｓなのかが認識でき難くなる。そのため、圧力値が正常圧力範囲内であるか範囲外であるか認識し難くなる問題があった。
例えば、上限圧力値または下限圧力値と圧力値が同値の場合、圧力値に対応して点灯した発光ダイオードＤ（Ｄｓ）が、上限圧力値及び下限圧力値の発光ダイオードＤ（Ｄａ），Ｄ（Ｄｂ）と重なり消灯するので、圧力値に対応する発光ダイオードＤ（Ｄｓ）が上限圧力値または下限圧力値に対応する発光ダイオードＤ（Ｄａ），Ｄ（Ｄｂ）と同じ位置なのか、発光ダイオードＤ（Ｄａ），Ｄ（Ｄｂ）よりも１つ低い位置なのかがわからなくなり、正しい圧力値を認識し難くなる問題があった。
更に、圧力値に対応する発光ダイオードＤ（Ｄｓ）が、上限圧力値または下限圧力値に対応する発光ダイオードＤ（Ｄａ），Ｄ（Ｄｂ）よりも２つ低い位置の発光ダイオードＤである場合には、圧力値に対応する発光ダイオードＤ（Ｄｓ）が上限圧力値または下限圧力値に対応する発光ダイオードＤ（Ｄａ）よりも１つ高い位置が点灯している状態と点灯態様が似ていてどちらかが判らなくなる。
【００１０】
本発明は上記の問題点に鑑みて為されたもので、検知した圧力値が上限圧力値または下限圧力値に近接している場合でも、確実に圧力値を認識できるようにし、検知した圧力値と正常圧力範囲とを見易くして検知した圧力値及びその圧力値が正常範囲か否かを正確に認識できるようにした圧力測定器を提供することを目的とする。
【課題を解決するための手段】
【００１１】
このような目的を達成するための本発明の圧力測定器は、流体の圧力変化を検知し該検知を電気信号に変換して出力する検知部と、所定間隔に定めた圧力値順に列設された複数の発光体からなる発光体アレイを備えて構成され該発光体を通電により点灯して上記流体の圧力値として視認可能に表示する表示部と、上記検知部から出力された電気信号を受信し所定間隔に定めた圧力値に対応した圧力値信号に変換して出力する圧力値信号変換手段及び該圧力値信号変換手段から出力された圧力値信号に基づいて上記発光体アレイの対応する発光体を選択してこれに通電させる圧力値選択通電手段を有した制御部とを備えた圧力測定器において、上記制御部に、上記流体の正常圧力範囲とみなす上限圧力値及び下限圧力値を設定する正常圧力範囲設定手段と、該正常圧力範囲設定手段で設定された上限圧力値及び下限圧力値を上限圧力値信号及び下限圧力値信号に変換して出力する正常圧力範囲信号変換手段と、上記正常圧力範囲信号変換手段から出力された上限圧力値信号及び下限圧力値信号に基づいて上記発光体アレイの対応する発光体を選択してこれに通電させる正常圧力範囲選択通電手段と、上記正常圧力範囲選択通電手段で選択した発光体の輝度と上記圧力値選択通電手段で選択した発光体の輝度とを異なる輝度に制御する輝度制御手段とを備えている。
【００１２】
この圧力測定器を使用する場合には、予め、圧力を測定したい箇所に検知部を設け、正常圧力範囲設定手段で上限圧力値及び下限圧力値を設定しておく。正常圧力範囲信号変換手段で上限圧力値及び下限圧力値をデジタル信号である上限圧力値信号及び下限圧力値信号に変換する。それから、上限圧力値信号及び下限圧力値信号を受信した正常圧力範囲選択通電手段で上限圧力値信号及び下限圧力値信号に対応する発光体アレイの発光体を選択して通電し点灯させる。
この状態で、検知部から電気信号が出力されると、この電気信号を圧力値信号変換手段で取り込んでデジタル信号である圧力値信号に変換し、その後、圧力値信号を受信した圧力値信号選択通電手段で圧力値に対応する発光体アレイの発光体を選択して通電し点灯させる。
この際、輝度制御手段で、正常圧力範囲選択通電手段で選択した発光体の輝度は、圧力値選択通電手段で選択した発光体の輝度と異なる輝度に制御されている。
【００１３】
これにより、検知した圧力値が判るとともに、この圧力値が正常圧力範囲内か否かが認識できるようになる。この場合、圧力値に対応する発光ダイオードが上限圧力値及び下限圧力値に対応する発光ダイオードに対して近接していても、正常圧力範囲に対応する発光体の輝度と圧力値に対応する発光体の輝度とが異なる輝度に制御されているので、夫々を確実に識別できるようになり、圧力値が正常圧力範囲内か否かを正確に認識できるようになる。また、検知した圧力値と正常圧力範囲とが見易くなる。
【００１４】
また、必要に応じ、上記輝度制御手段を、上記正常圧力範囲選択通電手段で選択した発光体を、上記圧力値選択通電手段で選択した発光体よりも輝度を低くして点灯させる機能を備えて構成している。
圧力値選択通電手段で選択した発光体の輝度が高くなり、上限圧力値及び下限圧力値と圧力値とを区別し易くなるとともに、流体の圧力変化により変位する圧力値が見易くなるので、この点においても、圧力値が正常圧力範囲内に入っているかどうかを認識しやすくなる。
【００１５】
更に、必要に応じ、上記制御部に、上記検知部で検知した流体の圧力値が上記正常圧力範囲設定手段で設定した正常圧力値の範囲外の場合に異常信号を出力する異常信号出力部を設けている。
この場合、異常信号出力部で圧力値信号と正常圧力範囲信号変換手段から出力された上限圧力値信号及び下限圧力値信号とを比較する。この際、圧力値が上限圧力値よりも大きいかまたは下限圧力値よりも小さい場合に、異常信号出力部から異常信号を出力する。
これにより、異常信号を利用して、警報ブザーや警報ランプ等で警報を発することができるようになるので、表示部を見なくても異常を認識でき、確実に異常を知ることができる。
【００１６】
更にまた、必要に応じ、上記異常信号出力部に、上記検知部で検知した流体の圧力値が上記正常圧力範囲設定手段で設定した上限圧力値よりも高い場合に異常信号としてのハイ信号を出力するハイ信号出力部と、上記検知部で検知した流体の圧力値が上記正常圧力範囲設定手段で設定した下限圧力値よりも低い場合に異常信号としてのロー信号を出力するロー信号出力部とを設けている。
そのため、流体供給管路上の各圧力測定器から出力されるハイ信号及びロー信号により、下限圧力値よりも低い異常なのか上限圧力値よりも高い異常なのか異常の種類を識別することができるようになり、どのような障害が起きているかを容易に確認することができる。
【発明の効果】
【００１７】
本発明の圧力測定器によれば、正常圧力範囲選択通電手段で選択した発光体の輝度と圧力値選択通電手段で選択した発光体の輝度とを異なる輝度に制御する輝度制御手段を備えたので、圧力値に対応する発光ダイオードが上限圧力値及び下限圧力値に対応する発光ダイオードに対して近接して点灯しても、夫々を別々に識別できるようになり、検知した圧力値と正常圧力範囲とが見易くなるので、圧力値が正常圧力範囲内か否かを正確に認識できるようになる。
【発明を実施するための最良の形態】
【００１８】
以下、添付図面に基づいて、本発明の実施の形態に係る圧力測定器について詳細に説明する。
【００１９】
図１には、圧力測定器Ｓを示している。この圧力測定器Ｓは、例えば、工作機械や産業機械等の例えば潤滑システムの流体供給管路（図示せず）を流れる潤滑油の圧力変化を検知して電気信号に変換して出力する検知部１０と、本体３０とを備えている。
【００２０】
図３には、検知部１０の一例を示している。検知部１０は、流体が流れる流体供給管路に一端が接続される第１シリンダ１２及び第１シリンダ１２の他端に連通する第２シリンダ１３を有したシリンダ本体１１と、第１シリンダ１２内に進退動可能に挿通される第１ピストン１６ａ及び第１ピストン１６ａに一体に設けられ第２シリンダ１３に挿通される第２ピストン１６ｂを有したピストン本体１６と、ピストン本体１６の進出により変化する第２シリンダ室１３ａ内の空気圧縮を検知することにより流体供給管路の流体の圧力を電気信号に変換して出力する圧力検知素子１９とを備えている。
【００２１】
第１シリンダ１２は、その一端に潤滑油が流入する流入口１２ｂと、第１シリンダ１２の一端側に形成され第１ピストン１６ａが摺動する小径部１４と、第１シリンダ１２の他端側に小径部１４に連通して形成され第１ピストン１６ａ及び第２ピストン１６ｂが遊挿される大径部１５とを備えて構成されている。
第１シリンダ１２の小径部１４には、第１シリンダ１２の内側面と第１ピストン１６ａの外側面とをシールして後述の大気開放経路２０への潤滑油の入り込みを防止する第１シール部１７が備えられている。
第２シリンダ１３には、第２ピストン１６ｂの進出時（図３（ｂ））に第２ピストン１６ｂの外側面をシールする一方第２ピストン１６ｂの後退時（図３（ａ））に第２ピストン１６ｂとの間に隙間２３を形成する第２シール部１８が備えられている。
【００２２】
圧力検知素子１９は、第２シリンダ１３の他側側に設けられるチューブエンド２５及びこのチューブエンド２５に接続されるチューブ２６を介して第２シリンダ室１３ａに連通されている。
また、この検知部１０には、ピストン本体１６の後退時に第２シリンダ室１３ａを大気開放する大気開放経路２０が備えられている。
この大気開放経路２０は、第１シリンダ１２の大径部１５の内部から外部に連通して設けられる開放孔２１と、第１シリンダ室１２ａの大径部１５と、第２シリンダ１３の第２シール部１８よりも第１シリンダ１２側の内側面と第２ピストン１６ｂとの間に設けられるクリアランス２２と、第２シール部１８の第２ピストン１６ｂとの間の隙間２３とからなる。
【００２３】
図１及び図２に示すように、本体３０は、所定間隔に定めた圧力値順に列設された複数の発光体からなる発光体アレイＡを備えて構成されこの発光体を通電により点灯して潤滑油の圧力値として視認可能に表示する表示部４０と、この表示部４０を制御する制御部５０とを備えている。
【００２４】
表示部４０は、本体３０の表面に設けられ通電により点灯し所定間隔に定めた圧力値順に列設された複数の発光体としての発光ダイオードＤからなる発光体アレイＡを備えている。
この発光体アレイＡには、各発光ダイオードＤに所定間隔に定めた圧力値を示す数直線４１が付設されている。この発光体アレイＡは、点灯した発光ダイオードＤと数直線４１の数字とを比較して圧力値を視認可能としている。発光体である発光ダイオードＤを用いているので、既存のものを用いることもでき、それだけコスト安になる。
【００２５】
制御部５０は、検知部１０の圧力検知素子１９からライン２７を介して出力された電気信号を受信し所定間隔に定めた圧力値に対応した圧力値信号に変換して出力する圧力値信号変換手段５１及びこの圧力値信号変換手段５１から出力された圧力値信号に基づいて発光体アレイＡの対応する発光ダイオードＤを選択してこれに通電させる圧力値選択通電手段５２とを有している。
制御部５０の圧力値信号変換手段５１は、Ａ／Ｄ変換器を備えて構成され、検知部１０の圧力検知素子１９から出力されたアナログ信号である電気信号を所定の単位時間に分割するとともに、この単位時間あたりに分割された電気信号の大きさの平均値を算出してデジタル信号である圧力値信号に変換する機能を備えている。
圧力値選択通電手段５２は、圧力値信号を受信すると、圧力値信号から圧力値に対応する発光体アレイＡの発光ダイオードＤから１個を選択して通電させる。
【００２６】
また、制御部５０は、潤滑油の正常圧力範囲とみなす上限圧力値及び下限圧力値を設定する正常圧力範囲設定手段５３と、正常圧力範囲設定手段５３で設定された上限圧力値及び下限圧力値を上限圧力値信号及び下限圧力値信号に変換して出力する正常圧力範囲信号変換手段５４と、正常圧力範囲信号変換手段５４から出力された上限圧力値信号及び下限圧力値信号に基づいて発光体アレイＡの対応する発光ダイオードＤを選択してこれに通電させる正常圧力範囲選択通電手段５５とを備えて構成されている。
【００２７】
正常圧力範囲設定手段５３は、数値セットボタン３１と、上限設定ボタン３２と、下限設定ボタン３３とを備えている。
数値セットボタン３１は、押釦ボタンで形成され、押釦されると圧力値選択通電手段５２や正常圧力範囲選択通電手段５５等による圧力値，正常圧力範囲に対応する発光ダイオードＤの点灯処理を停止させて正常圧力範囲設定モードにするとともに、押釦中は発光体アレイＡの発光ダイオードＤのうち、圧力値の最小値を示す発光ダイオードＤ（Ｄ０）からその点灯位置を最大値側の発光ダイオードＤ（Ｄｍ）に向けて順番に移動して点灯させる。
【００２８】
上限設定ボタン３２は、押釦ボタンで形成され、押釦により数値セットボタン３１で移動させられた発光体アレイＡの発光ダイオードＤの点灯位置に対応する圧力値を上限圧力値として設定する機能を備えている。
下限設定ボタン３３は、押釦ボタンで形成され、押釦により数値セットボタン３１で移動させられた発光体アレイＡの発光ダイオードＤの点灯位置に対応する圧力値を下限圧力値として設定する機能を備えている。
【００２９】
正常圧力範囲信号変換手段５４は、内部に設けられる記憶メモリ５４ａに、正常圧力範囲設定手段５３で設定された上限圧力値及び下限圧力値をデジタルデータで記憶し、この記憶メモリ５４ａに記憶された上限圧力値及び下限圧力値を出力している。記憶メモリ５４ａは、ＲＡＭやフラッシュメモリ等の記憶媒体で形成されている。
正常圧力範囲選択通電手段５５は、正常圧力範囲設定手段５３から出力された上限圧力値及び下限圧力値に対応する発光体アレイＡの発光ダイオードＤのうち夫々１個を選択し、これらの発光ダイオードＤに通電して点灯させている。
【００３０】
また、制御部５０には、正常圧力範囲選択通電手段５５で選択した発光ダイオードＤを、圧力値選択通電手段５２で選択した発光ダイオードＤよりも輝度を低くして点灯させる機能を備えた輝度制御手段５６が備えられている。
この輝度制御手段５６は、正常圧力範囲選択通電手段５５で選択した発光ダイオードＤを、圧力値選択通電手段５２で選択した発光ダイオードＤよりも電圧を低くして通電し、正常圧力範囲選択通電手段５５で選択した発光ダイオードＤの輝度が低くなるよう点灯させている。
正常圧力範囲選択通電手段５５で選択した上限圧力値または下限圧力値の発光ダイオードＤと、圧力値選択通電手段５２で選択した発光ダイオードＤが同じ場合には、圧力値選択通電手段５２で選択した発光ダイオードＤを優先する。
【００３１】
更に、制御部５０には、検知部１０で検知した潤滑油の圧力値が正常圧力範囲設定手段５３で設定した正常圧力値の範囲外の場合に異常信号を出力する異常信号出力部５７が設けられている。
この異常信号出力部５７は、検知部１０で検知した潤滑油の圧力値が正常圧力範囲設定手段５３で設定した上限圧力値よりも高い場合に異常信号としてのハイ信号を出力するハイ信号出力部５８と、検知部１０で検知した潤滑油の圧力値が正常圧力範囲設定手段５３で設定した下限圧力値よりも低い場合に異常信号としてのロー信号を出力するロー信号出力部５９とを備えて構成されている。
【００３２】
この異常信号出力部５７は、検知部１０から出力された電気信号を圧力値信号変換手段５１で変換した圧力値信号と、正常圧力範囲信号記憶メモリ５４ａに記憶された上限圧力値及び下限圧力値とを比較する。そして、正常圧力範囲外に圧力値がある場合は、ハイ信号出力部５８及びロー信号出力部５９からハイ信号またはロー信号を受信すると警報を発する警報ブザーや警報ランプが設けられた警報装置６０にハイ信号及びロー信号を出力する。
ハイ信号出力部５８及びロー信号出力部５９には、ハイ信号出力部５８及びロー信号出力部５９と警報装置６０とを接続するためのライン３４の端子が差し込まれるジャック３５ａ，３５ｂが夫々設けられている。
【００３３】
従って、この圧力測定器Ｓを使用する際は、予め、圧力を検知したい流体供給管路に検知部１０を取り付ける。そして、潤滑システムの流体供給管路に潤滑油が流れて潤滑油の圧力が上昇し、潤滑油が第１シリンダ室１２ａに流入すると、ピストン本体１６が第２シリンダ１３側に移動する。そして、圧力検知素子１９は、第２シリンダ室１３ａ内の空気の圧力を検知するとともにこの圧力を電気信号に変換して制御部５０に出力する。
【００３４】
制御部５０においては、図４に示す、フローチャートに基づいて説明すると以下のような制御を行なう。
圧力測定器Ｓの電源が入れられると（１−１）、各発光ダイオードＤを発光させて表示が可能かどうかを確認する等の初期化を行なう（１−２）。この際に、発光ダイオードＤや、検知部１０の接続不良を検出や、異常がある際はエラーの表示を行なう等する。また、記憶メモリ５４ａに上限圧力値及び下限圧力値が記憶されていない場合は、自動的に後述の正常圧力設定モードになり、そこで正常圧力範囲の設定を行なってから次に進む。
【００３５】
次に、圧力値信号変換手段５１で検知部１０から出力された電気信号を取り込んで圧力値信号に変換する（１−３）。そして、異常信号出力部５７で圧力値信号と正常圧力範囲信号変換手段５４から出力された上限圧力値信号とを比較する（１−４）。この際、圧力値が上限圧力値よりも大きい場合には（１−４Ｙ）、ハイ信号出力部５８からハイ信号を出力する（１−５）。一方、上限圧力値よりも低く（１−４Ｎ）、この圧力値と下限圧力値とを比較して、圧力値が下限圧力値よりも低い場合には（１−４Ｎ，１−６Ｙ）、ロー信号出力部５９から警報装置６０にロー信号を出力する（１−７）。他方、圧力値が上限圧力値より低く下限圧力値が高い場合（圧力値が正常圧力範囲内の場合）は、異常信号出力部５７を作動させない（１−４Ｎ，１−６Ｙ）。その後、圧力値信号選択通電手段により圧力値信号から点灯させる発光ダイオードＤ（Ｄｓ）を１個選択し（１−８）、正常圧力範囲選択通電手段５５により上限圧力値信号及び下限圧力値信号から点灯させる発光ダイオードＤ（Ｄａ），Ｄ（Ｄｂ）を１個ずつ選択する（１−９，１−１０）。
【００３６】
次にまた、正常圧力範囲選択通電手段５５及び輝度制御手段５６で、上限圧力値及び下限圧力値に対応する発光ダイオードＤ（Ｄａ），Ｄ（Ｄｂ）に通常の電圧よりも低い電圧で通電して夫々低輝度で点灯させるとともに（１−１１，１−１２）、圧力値信号選択通電手段及び輝度制御手段５６で、圧力値に対応する発光ダイオードＤ（Ｄｓ）に上限圧力値及び下限圧力値に対応する発光ダイオードＤ（Ｄａ），Ｄ（Ｄｂ）を通常の電圧で通電して高輝度で点灯させる（１−１３）。
【００３７】
これにより、図６（ａ）に示すように、上限圧力値及び下限圧力値に対応する発光ダイオードＤ（Ｄａ），Ｄ（Ｄｂ）は、圧力値に対応する発光ダイオードＤ（Ｄｓ）よりも輝度を低くして点灯させられ、検知した圧力値に対応する発光ダイオードＤ（Ｄｓ）と上限圧力値及び下限圧力値に対応する発光ダイオードＤ（Ｄａ），Ｄ（Ｄｂ）とが区別されるので、圧力値と正常圧力範囲が見易くなり、上限圧力値及び下限圧力値に対応する発光ダイオードＤ（Ｄａ），Ｄ（Ｄｂ）と圧力値に対応する発光ダイオードＤ（Ｄｓ）とが近接していても別のものとして識別できるようになる。
【００３８】
即ち、上限圧力値または下限圧力値と圧力値が同値の場合、圧力値に対応して点灯した発光ダイオードＤ（Ｄｓ）が、上限圧力値及び下限圧力値の発光ダイオードＤ（Ｄａ），Ｄ（Ｄｂ）と重なっても、圧力値に対応する発光ダイオードＤ（Ｄｓ）が優先されて高輝度で点灯するので、検知した圧力値と正常圧力範囲とが見易くなり、検知した圧力値及びその圧力値が正常範囲か否かを正確に認識できる。
また、検知した圧力値に対応する発光ダイオードＤ（Ｄｓ）の位置が、上限圧力値に対応する発光ダイオードＤ（Ｄａ）または下限圧力値に対応する発光ダイオードＤ（Ｄｂ）より、１つ低い場合であっても、検知した圧力値に対応する発光ダイオードＤ（Ｄｓ）が高輝度で点灯するとともに、上限圧力値及び下限圧力値に対応する発光ダイオードＤ（Ｄａ），Ｄ（Ｄｂ）が低輝度で点灯させられるので、検知した圧力値と正常圧力範囲とが見易くなり、検知した圧力値及びその圧力値が正常範囲か否かを正確に認識できる。
【００３９】
更に、圧力値に対応する発光ダイオードＤ（Ｄｓ）の位置が、上限圧力値または下限圧力値に対応する発光ダイオードＤ（Ｄａ），Ｄ（Ｄｂ）よりも２つ低く位置している場合においても、圧力値に対応する発光ダイオードＤ（Ｄｓ）が上限圧力値または下限圧力値に対応する発光ダイオードＤ（Ｄａ）よりも２つ高い位置が点灯している状態とは点灯態様が異なるので、検知した圧力値と正常圧力範囲とが見易くなり、検知した圧力値及びその圧力値が正常範囲か否かを正確に認識できる。
【００４０】
更に、異常信号出力部５７から出力された異常信号としてのハイ信号及びロー信号により、警報ブザーや警報ランプ等で警報を発することができるようになるので、表示部４０をいちいち見なくても異常を認識でき、確実に異常を知ることができる。また、圧力測定器Ｓから出力されるハイ信号及びロー信号により、下限圧力値よりも低い異常なのか上限圧力値よりも高い異常なのか異常の種類を識別することができるようになり、どのような障害が起きているかを容易に確認することができる。
その後、次に検知部１０から電気信号を受信して上記の処理を繰り返し（１−２）、圧力値の変位を検知する。
【００４１】
制御部５０の処理中において正常圧力範囲の設定を変更したりするには、数値セットボタン３１を押釦して正常圧力範囲設定モードにする。この際、制御部５０の上記のいずれの処理中においてもその処理を停止し、図５に示す正常圧力範囲を設定のフローチャートに基づいて正常圧力範囲を設定していく。
この数値セットボタン３１が押釦されると（２−１）、正常圧力範囲設定手段５３は、圧力値選択通電手段５２及び正常圧力範囲選択通電手段５５の処理を停止させる。次に、図６（ｂ）に示すように、発光体アレイＡ上の点灯した発光ダイオードＤを全て消灯し（２−２）、発光体アレイＡの発光ダイオードＤのうち最小値に対応する発光ダイオードＤ０を点灯させる（２−３）。
【００４２】
そして、この状態で、数値セットボタン３１が更に押された場合（２−４Ｙ）は、０．２秒遅延させて、現在点灯している発光ダイオードＤを消灯させるとともに、最大値側に隣接する発光ダイオードＤを点灯させる（２−５，２−６）。発光体アレイＡの発光ダイオードＤのうちいずれかが点灯している場合（２−８）において、更に数値セットボタン３１が押されていれば、上記と同様の処理を繰り返し、数値セットボタン３１の押釦中は発光体アレイＡの発光ダイオードＤのうち、圧力値の最小値を示す発光ダイオードＤから最大値側の発光ダイオードＤに向けて順番に移動して点灯させていく（２−４Ｙ，２−５，２−６，２−７，２−８）。この際、発光ダイオードＤが最大値に対応する発光ダイオードＤ（Ｄｍ）の場合は、発光ダイオードＤを全て消灯する（２−６，２−７）。発光ダイオードＤが全て消灯していれば、発光体アレイＡの発光ダイオードＤのうち最小値に対応する発光ダイオードＤ（Ｄ０）を点灯させる（２−３）。
数値セットボタン３１が押釦されていない場合には（２−４Ｎ）、上限設定ボタン３２かまたは下限設定ボタン３３が押圧されるまで待機する（２−９Ｎ，２−１１Ｎ，２−１３Ｎ）。
【００４３】
上限圧力値を設定する際は、図６（ｃ）に示すように、数値セットボタン３１で点灯させられている発光ダイオードＤを設定したい上限圧力値と同じ位置に位置させて、上限設定ボタン３２を押釦する。上限設定ボタン３２が押釦された場合には（２−９Ｙ）、点灯している発光ダイオードＤの位置に対応する圧力値を上限圧力値として正常圧力範囲信号変換手段５４の記憶メモリ５４ａにデジタルデータで格納するとともにこの発光ダイオードＤを消灯させる（２−１０）。
下限圧力値を設定する際は、図６（ｄ）に示すように、数値セットボタン３１で点灯させられている発光ダイオードＤを設定したい下限圧力値と同じ位置に位置させて、下限設定ボタン３３を押釦する。下限設定ボタン３３が押釦されると（２−１１Ｙ）、点灯している発光ダイオードＤの位置に対応する圧力値を下限圧力値として正常圧力範囲信号変換手段５４の記憶メモリ５４ａにデジタルデータで格納するとともにこの発光ダイオードＤを消灯させる（２−１２）。
【００４４】
このようにして、上限設定ボタン３２及び下限設定ボタン３３の両方が押釦されて、上限圧力値及び下限圧力値がセットされた場合には（２−１３Ｙ）、メインルーチンに戻る（２−１４）。そして、図６（ａ）に示すように、制御部５０は、表示部４０の発光体アレイＡを上記したように発光ダイオードＤを点灯させ、圧力値及び正常圧力範囲を視認可能にする。
セットされた上限圧力値及び下限圧力値において、上限圧力値が下限圧力値と同じかまたは低い場合には（２−１５Ｙ）、発光体アレイＡの発光ダイオードＤを全て点灯させてエラー表示にし、次に数値セットボタン３１が押釦されるまで待機する。この際、数値セットボタン３１が押釦されると、設定開始時に戻る（２−１）。
このようにして、正常圧力範囲を設定する。
【００４５】
これにより、圧力が正常圧力であるとみなす正常圧力範囲を自由に設定できるようになり、潤滑油の圧力条件が変わる場合にも対応でき、汎用性が向上させられる。また、下限圧力よりも低い圧力の場合にも異常を認識できるようになる。
【図面の簡単な説明】
【００４６】
【図１】本発明の実施の形態に係る圧力測定器を示す機能ブロック図である。
【図２】本発明の実施の形態に係る圧力測定器の本体を示す図である。
【図３】本発明の実施の形態に係る圧力測定器において、検知部の一例を示す断面図である。
【図４】本発明の実施の形態に係る圧力測定器の制御部のフローチャートを示す図である。
【図５】本発明の実施の形態に係る圧力測定器において、制御部の正常圧力範囲設定手段のフローチャートを示す図である。
【図６】本発明の実施の形態に係る圧力測定器の表示部の表示状態を示す図である。
【図７】従来の圧力測定器の一例を示す図である。
【図８】従来の圧力測定器に適用可能な従来の表示部の一例を示す図である。
【符号の説明】
【００４７】
Ｓ  圧力測定器
Ｄ  発光ダイオード（発光体）
Ｄｓ  圧力値を示す発光ダイオード
Ｄａ  上限圧力値を示す発光ダイオード
Ｄｂ  下限圧力値を示す発光ダイオード
Ｄ０  最小値を示す発光ダイオード
Ｄｍ  最大値を示す発光ダイオード
Ａ  発光体アレイ
１０  検知部
１１  シリンダ本体
１２  第１シリンダ
１２ａ  第１シリンダ室
１３  第２シリンダ
１３ａ  第２シリンダ室
１４  小径部
１５  大径部
１６  ピストン本体
１６ａ  第１ピストン
１６ｂ  第２ピストン
１７  第１シール部
１８  第２シール部
１９  圧力検知素子
２０  大気開放経路
２１  開放孔
２２  クリアランス
２３  隙間
２５  チューブエンド
２６  チューブ
３０  本体
３１  数値セットボタン
３２  上限設定ボタン
３３  下限設定ボタン
３４  ライン
３５ａ，３５ｂ  ジャック
４０  表示部
４１  数直線
５０  制御部
５１  圧力値信号変換手段
５２  圧力値選択通電手段
５３  正常圧力範囲設定手段
５４  正常圧力範囲信号変換手段
５５  正常圧力範囲選択通電手段
５４ａ  記憶メモリ
５５  正常圧力範囲選択通電手段
５６  輝度制御手段
５７  異常信号出力部
５８  ハイ信号出力部
５９  ロー信号出力部
６０  警報装置
【図１】
2005207741.tif 000003
【図２】
2005207741.tif 000004
【図３】
2005207741.tif 000005
【図４】
2005207741.tif 000006
【図５】
2005207741.tif 000007
【図６】
2005207741.tif 000008
【図７】
2005207741.tif 000009
【図８】
2005207741.tif 000010